(57)【要約】【課題】  ２つの他のスライドレールを同じ側の異なる位置で支持可能なスライドレールを有するスライドレールアセンブリを提供し、係る２つの他のスライドレールを通じて２つの保持物体を取り付けることができるようにすること。【解決手段】  スライドレールアセンブリは、第１のレール、第２のレール及び第３のレールを含む。第１のレールは第１の領域及び第２の領域を有する。第２のレールは第１の領域に配置されるとともに、第１のレールに対して可動である。【選択図】  図２
2018114265.tif 000002
【特許請求の範囲】
【請求項１】
第１のレールであって、該第１のレールは、該第１のレールの同じ側の異なる位置に位置する第１の領域及び第２の領域を有する、第１のレールと、
前記第１の領域に配置されるとともに、前記第１のレールに対して可動な第２のレールと、
前記第２の領域に配置されるとともに、前記第１のレールに対して可動な第３のレールと、
を含むスライドレールアセンブリ。
【請求項２】
前記第２のレール及び前記第３のレールは、前記第１のレールの長手方向に沿って前記第１のレールに対して可動である、請求項１に記載のスライドレールアセンブリ。
【請求項３】
前記第１の領域及び前記第２の領域には第１の通路及び第２の通路がそれぞれ設けられ、
前記第１のレールは長手壁と、第１の上壁と、第１の下壁と、第２の上壁と、第２の下壁とを含み、
前記第１の通路は前記長手壁、前記第１の上壁及び前記第１の下壁によって定義され、前記第２のレールは前記第１の通路を通じて前記第１のレールに対して可動であり、
前記第２の通路は前記長手壁、前記第２の上壁及び前記第２の下壁によって定義され、前記第３のレールは前記第２の通路を通じて前記第１のレールに対して可動である、請求項２に記載のスライドレールアセンブリ。
【請求項４】
前記第１のレールの第１の上壁及び第１の下壁のそれぞれは、第１の壁部と、該第１の壁部に実質的に垂直に連結された第２の壁部とを含み、
前記第２のレールは上側レール部と、下側レール部と、前記第２のレールの上側レール部及び下側レール部の間に連結された中間部とを含み、
前記第２のレールの上側レール部及び下側レール部は、前記第１のレールの第１の通路内に位置するとともに、前記第１のレールの第１の上壁及び第１の下壁にそれぞれ当接するように構成されている、請求項２に記載のスライドレールアセンブリ。
【請求項５】
前記第１のレールの第２の上壁及び第２の下壁のそれぞれは、第３の壁部と、該第３の壁部に実質的に垂直に連結された第４の壁部とを含み、
前記第３のレールは上側レール部と、下側レール部と、前記第３のレールの上側レール部及び下側レール部の間に連結された中間部とを含み、
前記第３のレールの上側レール部及び下側レール部は前記第１のレールの第２の通路内に位置するとともに、前記第１のレールの第２の上壁及び第２の下壁にそれぞれ当接するように構成されている、請求項２に記載のスライドレールアセンブリ。
【請求項６】
前記第１のレールは、前記第１の通路の一端に隣接して位置するブロック機構をさらに含む、請求項３に記載のスライドレールアセンブリ。
【請求項７】
前記第２のレールに設けられた弾性部材をさらに含み、
前記第２のレールが前記第１のレールに対して伸長位置に位置する場合、前記ブロック機構は前記弾性部材を通じて前記第２のレールをブロックするように構成されている、請求項６に記載のスライドレールアセンブリ。
【請求項８】
前記第２のレール及び前記第３のレールのうちの少なくとも１つは複数の取り付け孔を有し、該取り付け孔のそれぞれは第１の孔部と、該第１の孔部と連通する第２の孔部とを有し、該第１の孔部は該第２の孔部よりも大きい、請求項１に記載のスライドレールアセンブリ。
【請求項９】
前記取り付け孔の第１の孔部を塞ぐように構成されたブロック部材をさらに含む、請求項８に記載のスライドレールアセンブリ。
【請求項１０】
前記第１のレールは前部及び後部を有し、
前記スライドレールアセンブリは、前記第１のレールに配置されるとともに、前記前部及び前記後部にそれぞれ隣接して位置する第１のブラケット及び第２のブラケットをさらに含む、請求項１に記載のスライドレールアセンブリ。
【請求項１１】
前記第１のブラケット及び前記第２のブラケットのうちの一方は前記第１のレールに可動に取り付けられるとともに、前記第１のレールに対して可動である、請求項１０に記載のスライドレールアセンブリ。
【請求項１２】
前記第１のブラケット及び前記第２のブラケットのうちの一方は第１の壁と、第２の壁と、該第１の壁及び該第２の壁の間に連結された延在壁とを含み、
前記第１の壁、前記第２の壁及び前記延在壁によって空間が定義され、前記第１のレールは該空間内で可動に取り付けられている、請求項１１に記載のスライドレールアセンブリ。
【請求項１３】
前記第１のブラケット及び前記第２のブラケットのうちの一方は、制限構造によって定義される限られた範囲内で前記第１のレールに対して可動であり、
前記制限構造は細長い孔と、該細長い孔を部分的に貫通する少なくとも１つの連結部材とを有し、該少なくとも１つの連結部材は、前記第１のブラケット及び前記第２のブラケットのうちの一方を前記第１のレールに連結するように構成されている、請求項１１に記載のスライドレールアセンブリ。
【請求項１４】
前記第１のブラケット及び前記第２のブラケットのそれぞれは少なくとも１つの取り付け機構を含み、
前記第１のレールは、前記第１のブラケット及び前記第２のブラケットの取り付け機構のそれぞれを通じて第１の対象物体及び第２の対象物体に取り付けられるように構成されている、請求項１１に記載のスライドレールアセンブリ。
【請求項１５】
前記第１のブラケット及び前記第２のブラケットのうちの一方は第１の壁と、第２の壁と、該第１の壁及び該第２の壁の間に連結された延在壁とを含み、
前記スライドレールアセンブリは該延在壁に配置された補強部材をさらに含む、請求項１１に記載のスライドレールアセンブリ。
【請求項１６】
第１の通路及び第２の通路を有する第１のレールと、
前記第１の通路を通じて前記第１のレールに対して可動な第２のレールと、
前記第２の通路を通じて前記第１のレールに対して可動な第３のレールと、
を含むスライドレールアセンブリ。
【請求項１７】
前記第１の通路及び前記第２の通路は前記第１のレールの同じ側に位置している、請求項１６に記載のスライドレールアセンブリ。
【請求項１８】
前記第１のレールは長手壁、第１の上壁、第１の下壁、第２の上壁及び第２の下壁を含み、
前記第１の上壁、前記第１の下壁、前記第２の上壁及び前記第２の下壁は前記長手壁に連結され、
第１の通路が前記長手壁、前記第１の上壁及び前記第１の下壁によって定義され、
第２の通路が前記長手壁、前記第２の上壁及び前記第２の下壁により定義され、
前記第１のレールは、前記第１の通路及び前記第２の通路の一端にそれぞれ隣接して位置する第１のブロック機構及び第２のブロック機構をさらに含む、請求項１７に記載のスライドレールアセンブリ。
【請求項１９】
第１の保持物体及び第２の保持物体をラックの第１のポスト及び第２のポストに取り付けるように構成されたスライドレールアセンブリであって、当該スライドレールアセンブリは、
第１のブラケット及び第２のブラケットを通じて前記第１のポスト及び前記第２のポストに取り付けられるように構成された第１のレールと、
前記第１のレールの同じ側の異なる位置に配置されるとともに、前記第１のレールに対して可動な第２のレール及び第３のレールであって、該第２のレールは前記第１の保持物体を取り付けるように構成され、該第３のレールは前記第２の保持物体を取り付けるように構成されている、第２のレール及び第３のレールと、
を含むスライドレールアセンブリ。
【請求項２０】
前記第２のレール及び前記第３のレールは、前記第１のレールの同じ側にある第１の通路及び第２の通路内にそれぞれ取り付けられ、
前記第２のレール及び前記第３のレールは、それぞれ前記第１の通路及び前記第２の通路を通じて前記第１のレールに対して可動である、請求項１９に記載のスライドレールアセンブリ。
【発明の詳細な説明】
【技術分野】
【０００１】
本発明はスライドレールアセンブリに関し、より具体的には、２つの他のスライドレールを同じ側の異なる位置で支持可能なスライドレールを有するスライドレールアセンブリに関する。
【背景技術】
【０００２】
図１に示すように、第１の保持物体（carried  object）２００（１Ｕシャーシ等）及び第２の保持物体２０２（１Ｕシャーシ等）は、それぞれ一対の第１のスライドレールアセンブリ２０４及び一対の第２のスライドレールアセンブリ２０６を通じてラック２０８に取り付けられている。第１のスライドレールアセンブリ２０４はそれぞれ、第１のレール２１０と、第１のレール２１０に対して可動な第２のレール２１２とを含む。第１のスライドレールアセンブリ２０４の第１のレール２１０は第１のブラケット２１６を通じてラック２０８の第１のポスト２１８に取り付けられ、第１の保持物体２００は第１のスライドレールアセンブリ２０４の第２のレール２１２に取り付けられている。他方、第２のスライドレールアセンブリ２０６のそれぞれは、第１のレール２２０と、第１のレール２２０に対して可動な第２のレール２２２とを含む。第２のスライドレールアセンブリ２０６の第１のレール２２０は第１のブラケット２２４を通じてラック２０８の第１のポスト２１８に取り付けられ、第２の保持物体２０２は第２のスライドレールアセンブリ２０６の第２のレール２２２に取り付けられている。
【先行技術文献】
【特許文献】
【０００３】
【特許文献１】米国特許第９４５６５２２号明細書
【特許文献２】米国特許第８６０７９９３号明細書
【特許文献３】米国特許第７２１８５２６号明細書
【特許文献４】米国特許第７０５５７０１号明細書
【発明の概要】
【発明が解決しようとする課題】
【０００４】
第１の保持物体２００及び第２の保持物体２０２をラックに取り付けるためには２対のスライドレールアセンブリが必要となるため、取り付けコスト及び取り付け時間が増大する。
【課題を解決するための手段】
【０００５】
本発明の目的は、２つの他のスライドレールを同じ側の異なる位置で支持可能なスライドレールを有するスライドレールアセンブリを提供することである。
【０００６】
本発明の他の目的は、２つの他のスライドレールを同じ側の異なる位置で支持可能なスライドレールを有するスライドレールアセンブリを提供し、係る２つの他のスライドレールを通じて２つの保持物体を取り付けることである。
【０００７】
本発明の一実施形態によれば、スライドレールアセンブリは、第１のレール、第２のレール及び第３のレールを含む。第１のレールは、該第１のレールの同じ側の異なる位置に位置する第１の領域及び第２の領域を有する。第２のレールは第１の領域に配置されるとともに、第１のレールに対して可動である。第３のレールは第２の領域に配置されるとともに、第１のレールに対して可動である。
【０００８】
第２のレール及び第３のレールは、第１のレールの長手方向に沿って第１のレールに対して可動であることが好ましい。
【０００９】
第１の領域及び前記第２の領域には第１の通路及び第２の通路がそれぞれ設けられていることが好ましい。第１のレールは長手壁と、第１の上壁と、第１の下壁と、第２の上壁と、第２の下壁とを含む。第１の通路は長手壁、第１の上壁及び第１の下壁によって定義されている。第２のレールは第１の通路を通じて第１のレールに対して可動である。第２の通路は長手壁、第２の上壁及び第２の下壁によって定義されている。第３のレールは第２の通路を通じて第１のレールに対して可動である。
【００１０】
第１のレールの第１の上壁及び第１の下壁のそれぞれは、第１の壁部と、該第１の壁部に実質的に垂直に連結された第２の壁部とを含むことが好ましい。第２のレールは上側レール部と、下側レール部と、第２のレールの上側レール部及び下側レール部の間に連結された中間部とを含む。第２のレールの上側レール部及び下側レール部は、第１のレールの第１の通路内に位置するとともに、第１のレールの第１の上壁及び第１の下壁にそれぞれ当接するように構成されている。
【００１１】
第１のレールの第２の上壁及び第２の下壁のそれぞれは、第３の壁部と、該第３の壁部に実質的に垂直に連結された第４の壁部とを含むことが好ましい。第３のレールは上側レール部と、下側レール部と、前記第３のレールの上側レール部及び下側レール部の間に連結された中間部とを含む。第３のレールの上側レール部及び下側レール部は第１のレールの第２の通路内に位置するとともに、第１のレールの第２の上壁及び第２の下壁にそれぞれ当接するように構成されている。
【００１２】
第１のレールは、第１の通路の一端に隣接して位置するブロック機構（blocking  feature）をさらに含むことが好ましい。
【００１３】
スライドレールアセンブリは第２のレールに設けられた弾性部材をさらに含むことが好ましい。第２のレールが第１のレールに対して伸長位置に位置する場合、ブロック機構は弾性部材を通じて第２のレールをブロックするように構成されている。
【００１４】
第２のレール及び第３のレールのうちの少なくとも１つは複数の取り付け孔を有することが好ましい。取り付け孔のそれぞれは第１の孔部と、該第１の孔部と連通する第２の孔部とを有する。第１の孔部は該第２の孔部よりも大きい。
【００１５】
スライドレールアセンブリは取り付け孔の第１の孔部を塞ぐように構成されたブロック部材をさらに含むことが好ましい。
【００１６】
第１のレールは前部及び後部を有することが好ましい。スライドレールアセンブリは、第１のレールに配置されるとともに、前部及び後部にそれぞれ隣接して位置する第１のブラケット及び第２のブラケットをさらに含む。
【００１７】
第１のブラケット及び第２のブラケットのうちの一方は第１のレールに可動に取り付けられるとともに、第１のレールに対して可動であることが好ましい。
【００１８】
第１のブラケット及び第２のブラケットのうちの一方は第１の壁と、第２の壁と、該第１の壁及び該第２の壁の間に連結された延在壁とを含むことが好ましい。第１のレールを収容するために、第１の壁、第２の壁及び延在壁によって空間が定義されている。
【００１９】
第１のブラケット及び第２のブラケットのうちの一方は、制限構造（limiting  structure）によって定義される限られた範囲内で第１のレールに対して可動であることが好ましい。制限構造は細長い孔と、該細長い孔を部分的に貫通する少なくとも１つの連結部材とを有する。該少なくとも１つの連結部材は、第１のブラケット及び第２のブラケットのうちの一方を第１のレールに連結するように構成されている。
【００２０】
第１のブラケット及び第２のブラケットのそれぞれは少なくとも１つの取り付け機構（mounting  feature）を含むことが好ましい。第１のレールは、第１のブラケット及び第２のブラケットの取り付け機構のそれぞれを通じて第１の対象物体及び第２の対象物体に取り付けられるように構成されている。
【００２１】
第１のブラケット及び第２のブラケットのうちの一方は第１の壁と、第２の壁と、該第１の壁及び該第２の壁の間に連結された延在壁とを含む。スライドレールアセンブリは該延在壁に配置された補強部材をさらに含む。
【００２２】
本発明の他の実施形態によれば、スライドレールアセンブリは第１のレール、第２のレール及び第３のレールを含む。第１のレールは第１の通路及び第２の通路を有する。第２のレールは第１の通路を通じて第１のレールに対して可動である。第３のレールは第２の通路を通じて第１のレールに対して可動である。
【００２３】
本発明の他の実施形態によれば、スライドレールアセンブリは第１の保持物体及び第２の保持物体をラックの第１のポスト及び第２のポストに取り付けるように構成されている。スライドレールアセンブリは、第１のレール、第２のレール及び第３のレールを含む。第１のレールは第１のブラケット及び第２のブラケットを通じて前記第１のポスト及び前記第２のポストに取り付けられるように構成されている。第２のレール及び第３のレールは第１のレールの同じ側の異なる位置に配置されるとともに、第１のレールに対して可動である。第２のレールは第１の保持物体を取り付けるように構成されている。第３のレールは第２の保持物体を取り付けるように構成されている。
【００２４】
様々な図面に示す下記の好ましい実施形態の詳細な説明を読み終えた後、本発明の上記の目的及び他の目的が当業者に間違いなく明らかになる。
【図面の簡単な説明】
【００２５】
【図１】図１は、従来技術の２対のスライドレールアセンブリを通じでラックに取り付けられた２つの保持物体を示す図である。
【図２】図２は、本発明の一実施形態に係る、２つの保持物体をラックに取り付けることが可能な一対のスライドレールアセンブリを示す図であり、２つの保持物体はラック内に格納されている。
【図３】図３は、本発明の一実施形態に係る、２つの保持物体をラックに取り付けることが可能な一対のスライドレールアセンブリを示す図であり、保持物体のうちの１つがラックから引き出されている。
【図４】図４は、本発明の一実施形態に係るスライドレールアセンブリの分解図である。
【図５】図５は、本発明の一実施形態に係る、スライドレールアセンブリの第１のレールに取り付けられるように構成された第２のレール及び第３のレールを示す図である。
【図６】図６は、本発明の一実施形態に係るスライドレールアセンブリを示す図であり、第２のレール及び第３のレールは、第１のレールに対して伸長位置に位置している。
【図７】図７は、図６の領域Ａの拡大図である。
【図８】図８は、本発明の一実施形態に係るスライドレールアセンブリの第２のレールに取り付けられた第１の保持物体を示す図である。
【図９】図９は、一対のスライドレールアセンブリを通じてラックに取り付けられた２つの保持物体を示す図である。
【発明を実施するための形態】
【００２６】
図２に示すように、ラックシステムにおいて、第１の保持物体２０及び第２の保持物体２２は、一対のスライドレールアセンブリ２４を通じてラック２６に取り付けられるように構成されている。第１の保持物体２０及び第２の保持物体２２のそれぞれは、電子機器、シャーシ又は引き出しであり得る。各スライドレールアセンブリ２４は、第１のブラケット２８及び第２のブラケット３０を通じて、それぞれ第１のポスト３２（又は第１の対象物体）及び第２のポスト３４（又は第２の対象物体）に取り付けられるように構成されている。
【００２７】
図３に示すように、第１の保持物体２０及び／又は第２の保持物体２２は、スライドレールアセンブリ２４を通じてラック２６から引き出すか又は押し込むことができる。
【００２８】
図４及び図５に示すように、スライドレールアセンブリ２４は第１のレール３６、第２のレール３８及び第３のレール４０を含む。
【００２９】
第１のレール３６は第１の領域４２及び第２の領域４４を有する。第１の領域４２及び第２の領域４４は、第１のレール３６の同じ側の異なる位置に位置していることが好ましい。例えば、第１のレール３６は第１の側４５ａと、第１の側４５ａの反対の第２の側４５ｂとを有し、第１の領域４２及び第２の領域４４は第１の側４５ａに位置している。第１の領域４２には第１の通路４６（又は第１の長手通路）が設けられ、第２の領域４４には第２の通路４８（又は第２の長手通路）が設けられている。
【００３０】
具体的には、第１のレール３６は長手壁５０と、第１の上壁５２ａ、第１の下壁５２ｂ、第２の上壁５４ａ及び第２の下壁５４ｂを含む。第１の上壁５２ａ及び第１の下壁５２ｂは長手壁５０に連結されている。第１の通路４６は、長手壁５０、第１の上壁５２ａ及び第１の下壁５２ｂによって定義されている。第１のレール３６の第１の上壁５２ａ及び第１の下壁５２ｂのそれぞれは、第１の壁部Ｗ１と、第１の壁部Ｗ１に実質的に垂直に連結された第２の壁部Ｗ２とを含むことが好ましい。他方、第２の上壁５４ａ及び第２の下壁５４ｂは長手壁５０に連結されている。第２の通路４８は、ａ長手壁５０、第２の上壁５４ａ及び第２の下壁５４ｂによって定義されている。第１のレール３６の第２の上壁５４ａ及び第１の下壁５２ｂのそれぞれは、第３の壁部Ｗ３と、第３の壁部Ｗ３に実質的に垂直に連結された第４の壁部Ｗ４とを含むことが好ましい。第１のレール３６は第１のブロック機構５６をさらに含むことが好ましい。第１のレール３６は第２のブロック機構５８をさらに含むことが好ましい。第１のブロック機構５６は第１の通路４６の一端に隣接して配置され、第２のブロック機構５８は第２の通路４８の一端に隣接して配置されている。本実施形態では、第１のブロック機構５６及び第２のブロック機構５８のそれぞれは突起であるが、本発明はこのような構成に限定されない。
【００３１】
第２のレール３８は、第１の領域４２に可動に取り付けられ、第１のレール３６に対して可動である。例えば、第２のレール３８は第１の通路４６を通じて第１のレール３６に対して可動である。第２のレール３８は、上側レール部５５aと、下側レール部５５ｂと、上側レール部５５a及び下側レール部５５ｂの間に連結された中間部５５ｃを含むことが好ましい。上側レール部５５aと中間部５５ｃとの間に第１の屈曲部５５ｄが形成されていることが好ましく、下側レール部５５ｂと中間部５５ｃとの間に第２の屈曲部５５eが形成されていることが好ましい。上側レール部５５a及び下側レール部５５ｂは、第２のレール３８と第１のレール３６との間の支持強度を向上させるために、第１のレール３６の第１の通路４６内に位置するとともに、第１のレール３６の第１の上壁５２a及び第１の下壁５２ｂにそれぞれ当接するように構成されている。
【００３２】
第３のレール４０は、第２の領域４４に可動に取り付けられ、第１のレール３６に対して可動である。例えば、第３のレール４０は、第２の通路４８を通じて第１のレール３６に対して可動である。第３のレール４０は、上側レール部５７aと、下側レール部５７ｂと、上側レール部５７a及び下側レール部５７ｂの間に連結された中間部５７ｃを含む。上側レール部５７aと中間部５７ｃとの間に第１の屈曲部５７ｄが形成されていることが好ましく、下側レール部５７ｂと中間部５７ｃとの間に第２の屈曲部５７eが形成されていることが好ましい。上側レール部５７a及び下側レール部５７ｂは、第３のレール４０と第１のレール３６との間の支持強度を向上させるために、第１のレール３６の第１の通路４６内に位置するとともに、第１のレール３６の第２の上壁５４ａ及び第２の下壁５４ｂにそれぞれ当接するように構成されている。
【００３３】
第１のブラケット２８は、第１のレール３６の前部６０に隣接して位置している。第１のブラケット２８は、第１のレール３６の長手壁５０に取り付けられるとともに、第１のレール３６の前部６０に隣接する追加の付属部品であってもよい。あるいは、本実施形態では、第１のブラケット２８は第１のレール３６の長手壁５０に一体形成されるとともに、第１のレール３６の前部６０に隣接し得る。そのため、第１のブラケット２８を第１のレール３６の一部と見なすことができる。さらに、第１のブラケット２８は少なくとも１つの取り付け機構６２を有する。本実施形態では、第１のブラケット２８は、取り付け機構６２として複数の連結孔を有する。
【００３４】
図４及び図６に示すように、第２のブラケット３０は、第１のレール３６に可動に取り付けられるとともに、第１のレール３６の後部６４に隣接する。即ち、第２のブラケット３０及び第１のブラケット２８はそれぞれ第１のレール３６の後ろ側ブラケット及び前側ブラケットであり得る。具体的には、第２のブラケット３０は延在壁６６と、延在壁６６に実質的に垂直に連結された端壁６８を含む。第２のブラケット３０は、第１の壁７０ａ及び第２の壁７０ｂをさらに含むことが好ましい。延在壁６６は第１の壁７０ａと第２の壁７０ｂとの間に連結されている。第１の壁７０ａ、第２の壁７０ｂ及び延在壁６６によって空間７２が定義されている。第１のレール３６は、第２のブラケット３０及び第１のレール３６（又は第１のブラケット２８）がお互いに対して可動となるように、空間７２内で可動に取り付けられる。
【００３５】
第２のブラケット３０は、制限構造７４によって定義される限られた範囲内で第１のレール３６に対して可動であることが好ましい。例えば、制限構造７４は細長い孔７６と少なくとも１つの連結部材７８（例えば２つの連結部材７８）とを含む。本実施形態では、第２のブラケット３０は細長い孔７６を有し、連結部材７８は頭部８０ａと、頭部８０ａに連結された本体部８０ｂとを含む。頭部８０ａの寸法は本体部８０ｂの寸法よりも大きい。頭部８０ａは第２のブラケット３０の側面に位置している。本体部８０ｂは、第２のブラケット３０が限られた範囲内で第１のレール３６に対して可動となるよう第２のブラケット３０を第２のレール３８に連結するために、細長い孔７６の一部を貫通する。第２のブラケット３０は、端壁６８に設けられた少なくとも１つの取り付け機構８２を有する。本実施形態では、第２のブラケット３０は取り付け機構８２として複数の連結孔を有する。第２のブラケット３０の延在壁６６に補強部材８３が設けられていることが好ましい。補強部材８３は第２のブラケット３０の構造強度を向上させるように構成されている。補強部材８３はリベット留め、溶接又はネジ留めにより第２のブラケット３０に連結できる。
【００３６】
第１の保持物体２０及び第２の保持物体２２を保持するとともに、より短い保持物体に第２のレール３８及び第３のレール４０を適合させるために、第２のレール３８及び／又は第３のレール４０の長さは第１のレール３６の長さより小さいことが好ましい。他方、より長い保持物体に第２のレール３８及び第３のレール４０を適合させるために、第２のレール３８及び／又は第３のレール４０の長さは第１のレール３６の長さと同じであってもよい。本実施形態では、第２のレール３８及び／又は第３のレール４０の長さは限定されない。
【００３７】
スライドレールアセンブリ２４は少なくとも１つの弾性部材をさらに含むことが好ましい。本実施形態では、スライドレールアセンブリ２４は第１の弾性部材８４及び第２の弾性部材８６を含む。第１の弾性部材８４及び第２の弾性部材８６は、第２のレール３８及び第３のレール４０にそれぞれ設けられている。第１の弾性部材８４は、第１の連結部８８と、第１の連結部８８に連結されるとともに第１の連結部８８に対して傾斜した第１の弾性部９０と、第１の弾性部９０に設けられた第１のブロック部９２とを含む。同様に、第２の弾性部材８６は、第２の連結部９４と、第２の連結部９４に連結されるとともに第２の連結部９４に対して傾斜した第２の弾性部９６と、第２の弾性部９６に設けられた第２のブロック部９８とを含む。第１のブロック部９２及び／又は第２のブロック部９８は突起構造であってもよいし、第１のブロック部９２及び／又は第２のブロック部９８は凹部構造又は孔であってもよい。
【００３８】
図６に示すように、第２のレール３８（又は第３のレール４０）が第１のレール３６に対して後退位置から伸長位置Ｅに動かされると、第２のレール３８は、第２のレール３８及び／又は第３のレール４０を第１のレール３６に対して伸長位置Ｅで一時的に保持できるように、第１の弾性部材８４を通じて第１のレール３６の第１のブロック機構５６と係合するか又は第１のブロック機構５６によってブロックされるように構成されている（あるいは、第３のレール４０は、第２の弾性部材８６を通じて第１のレール３６の第２のブロック機構５８と係合するか又は第２のブロック機構５８によってブロックされるように構成されている）。図７に示すように、第２のレール３８が伸長位置Ｅに位置している場合、第２のレール３８は、第１の弾性部材８４の第１のブロック部９２を通じて第１のレール３６の第１のブロック機構５６と係合するか又は第１のブロック機構５６によってブロックされるように構成されている。他方、第１の弾性部９０（又は第２の弾性部９６）に力が加えられた場合、第２のレール３８（又は第３のレール４０）を操作して第１のレール３６に対して伸長位置Ｅから動かすことができるように（例えば、第１のレール３６から取り外すことができるように）、第１のブロック部９２を第１のブロック機構５６から取り外すことができる（又は第２のブロック部９８を第２のブロック機構５８から取り外すことができる）。
【００３９】
図４及び図８に示すように、第２のレール３８及び第３のレール４０のそれぞれは、互いに離間された複数の取り付け孔（例えば、第１の取り付け孔１０２及び第２の取り付け孔１０４）を含む。本実施形態では、取り付け孔１０２、１０４のそれぞれは、第１の孔部１０６ａと、第１の孔部１０６ａと連通する第２の孔部１０６ｂとを含み、第１の孔部１０６ａは第２の孔部１０６ｂよりも大きい。第１の保持物体２０の複数の取り付け部材１０８（例えばスタンドオフ（standoff）等）は、第２のレール３８の取り付け孔１０２、１０４に取り付けることができる。スライドレールアセンブリ２４は、第２のレール３８の取り付け孔１０２、１０４のうちの１つの第１の孔部１０６ａを塞ぐように構成されていることが好ましい。スライドレールアセンブリ２４は、第３のレール４０の取り付け孔１０２、１０４のうちの第１の孔部１０６ａを塞ぐように構成された第２の弾性ブロック部材１１２をさらに含むことが好ましい。例えば、第１の保持物体２０の取り付け部材１０８は、第１の弾性ブロック部材１１０を第２のレール３８に対して傾斜させて、第２のレール３８の第１の取り付け孔１０２の第１の孔部１０６ａから離れるようにするために、第２のレール３８の第１の取り付け孔１０２の第１の孔部１０６ａを通じて第１の弾性ブロック部材１１０を押圧するように構成されている。第１の孔部１０６ａを通じて第１の保持物体２０の取り付け部材１０８を第２の孔部１０６ｂ内に移動させた後、第１の弾性ブロック部材１１０は初期状態に戻る。その後、第２のレール３８の第１の取り付け孔１０２の第１の孔部１０６ａは、第１の保持物体２０が第２のレール３８に対して動くのを防止するために、第１の弾性ブロック部材１１０によってブロックされる。同様に、第２の保持物体２２の複数の取り付け部材を第３のレール４０の取り付け孔１０２、１０４に取り付けることができる。簡略化のためにさらなる説明は省略するため、第２のレール３８及び第１の保持物体２０（図８に示す）の関連構成を参照されたい。
【００４０】
図９に示すように、第１の保持物体２０及び第２の保持物体２２は、スライドレールアセンブリ２４を通じてラック２６のポストに取り付けることができる。例えば、第１のブラケット２８は、第１のブラケット２８の少なくとも１つの取り付け機構６２を通じて、少なくとも１つの固定部材１１４によりラック２６の第１のポスト３２に取り付けることができる。第１の通路４６及び第２の通路４８は第１のレール３６の同じ側に形成されているため、第２のレール３８及び第３のレール４０は、第２のレール３８と第３のレール４０との間の距離を減らすために、第１の通路４６及び第２の通路４８にそれぞれ取り付けることができる。上記の構成によれば、第１の保持物体２０及び第２の保持物体２２の双方が第２のレール３８及び第３のレール４０にそれぞれ取り付けられている場合、スペースを節約するために第１の保持物体２０を第２の保持物体２２に近づけることができる。
【００４１】
したがって、本発明のスライドレールアセンブリは以下のように特徴付けることができる。
１）２つのスライドレール（例えば、第２のスライドレール及び第３のスライドレール）を第１のレールの同じ側の異なる位置に取り付けることができるため、スライドレールアセンブリの製造コストを低減できる。
２）第２のレール及び／又は第３のレールを第１のレールに対して伸長位置で一時的に保持できるため、スライドレール及び保持物体のメンテナンスを容易に且つ便利な形で行うことができる。
３）支持構造が第１のレールと第２のレールとの間及び第１のレールと第３のレールとの間に形成されて互いに対して当接するため、それらの間の支持強度を向上させることができる。
【００４２】
当業者であれば、本発明の教示を維持しながら多くの変更及び改良が装置及び方法に加えられ得ることに容易に気付く。したがって、上記の開示は、添付の請求項の範囲によってのみ限定されると解釈すべきである。
【符号の説明】
【００４３】
２０  第１の保持物体
２２  第２の保持物体
２４  スライドレールアセンブリ
２８  第１のブラケット
３０  第２のブラケット
３２  第１のポスト
３４  第２のポスト
３６  第１のレール
３８  第２のレール
４０  第３のレール
４２  第１の領域
４４  第２の領域
４６  第１の通路
４８  第２の通路
５０  長手壁
【図１】
2018114265.tif 000003
【図２】
2018114265.tif 000004
【図３】
2018114265.tif 000005
【図４】
2018114265.tif 000006
【図５】
2018114265.tif 000007
【図６】
2018114265.tif 000008
【図７】
2018114265.tif 000009
【図８】
2018114265.tif 000010
【図９】
2018114265.tif 000011